(57)【特許請求の範囲】
【請求項１】
記録したコンテンツのそれだけで１つの意味を有する部分をシーンとして設定するとともに、上記シーンの分類名、キーワード、および名称を含む情報を記録する第１の記録再生装置が、ポータブルタイプの再生装置から広域ネットワークを通じて上記シーンの再生の要求を受けたとき、その要求を満たす上記シーンを示すデータを、上記広域ネットワークを通じて上記再生装置に送信し、
上記再生装置は、この送信されてきたデータから目的とする上記シーンの分類名と、上記分類名に対応する上記シーンのキーワードと、上記キーワードに対応する上記シーンの名称とを階層的に選択し、この選択した上記名称に対応するデータを上記広域ネットワークを通じて上記再生装置に送信するように、上記第１の記録再生装置に要求し、
この要求により目的とする上記シーンのデータが上記第１の記録再生装置から上記広域ネットワークを通じて上記再生装置に送信されてきたとき、上記再生装置は、その送信されてきた上記シーンをストリーミング再生し、
上記再生装置が、上記広域ネットワークを通じて上記第１の記録再生装置に、上記再生装置によりストリーミング再生した上記シーンを示すデータと、第２の記録再生装置のアドレスとを送信したとき、上記第１の記録再生装置は、上記アドレスにしたがって上記広域ネットワークを通じて上記第２の記録再生装置に、上記再生装置によりストリーミング再生した上記シーンのデータを送信する
ようにしたコンテンツの提供方法。
【請求項２】
請求項１に記載のコンテンツの提供方法において、
上記再生装置が、上記再生装置によりストリーミング再生した上記シーンを示すデータと、第２の記録再生装置のアドレスとを送信するとき、上記シーンのコピーの可否を示すデータも送信し、
上記コピーの可否を示すデータが、上記コピーの許可を示している場合、上記第１の記録再生装置は、上記広域ネットワークを通じて上記第２の記録再生装置に、上記再生装置によりストリーミング再生した上記シーンのデータと、上記シーンを示すデータとを送信し、
上記コピーの可否を示すデータが、上記コピーの禁止を示している場合、
上記第１の記録再生装置は、上記広域ネットワークを通じて上記第２の記録再生装置に、上記再生装置によりストリーミング再生した上記シーンを示すデータと、上記第１の記録再生装置のアドレスとを送信するとともに、
上記第２の記録再生装置が送信されてきた上記第１の記録再生装置のアドレスにしたがって上記広域ネットワークを通じて上記第１の記録再生装置に接続し、上記再生装置によりストリーミング再生した上記シーンを示すデータを送信したとき、上記第１の記録再生装置は、上記広域ネットワークを通じて上記第２の記録再生装置に、上記再生装置によりストリーミング再生した上記シーンのデータをストリーミング再生となるように送信する
ようにしたコンテンツの提供方法。
【請求項３】
請求項２に記載のコンテンツの提供方法において、
上記コピーの可否を示すデータが、上記コピーの禁止を示しているときには、上記第１の記録再生装置は、上記広域ネットワークを通じて上記第２の記録再生装置に、上記再生装置によりストリーミング再生した上記シーンのデータをストリーミング再生となるように送信するまで、上記再生装置によりストリーミング再生した上記シーンのデータの消去を禁止する
ようにしたコンテンツの提供方法。
【請求項４】
請求項２あるいは請求項３に記載のコンテンツの提供方法において、
上記コピーの可否を示すデータが、上記コピーの禁止を示しているときには、上記再生装置によりストリーミング再生した上記シーンのデータのストリーミング再生が終了したとき、上記第２の記録再生装置は、上記再生装置によりストリーミング再生した上記シーンを示すデータを消去する
ようにしたコンテンツの提供方法。
【発明の詳細な説明】
【技術分野】
【０００１】
この発明は、コンテンツの提供方法に関する。
【背景技術】
【０００２】
テレビ番組などのコンテンツを録画（記録）するビデオレコーダとして、ハードディスクレコーダが普及しつつある。このハードディスクレコーダは、その記録媒体として大容量のハードディスクドライブを使用しているので、録画した複数のコンテンツの中から任意のコンテンツを瞬時に選択して再生したり、任意のコンテンツの一部だけを再生したりすることができる。
【０００３】
そこで、自宅のハードディスクレコーダに録画したコンテンツを、ポータブルビデオプレーヤや携帯電話機などを使用して自宅外でも視聴できるようにする再生システムが考えられている。つまり、例えば、夜中に放送された番組を自宅のハードディスクレコーダにタイマ録画し、その番組をポータブルビデオプレーヤにコピーすれば、その番組を勤務先の昼休みなどに観ることができる。
【０００４】
なお、先行技術文献として例えば以下のものがある。
【特許文献１】特開２００７−１５６８０４号公報
【発明の開示】
【発明が解決しようとする課題】
【０００５】
ところが、上記のように自宅内にあるコンテンツを自宅外に持ち出して視聴することが可能になると、そのコンテンツを別のユーザに見せることがある。すると、ポータブルビデオプレーヤでは、一般に画面が小さいので、見せられたユーザが、そのユーザ宅の大型画面で見たいなどの理由により、そのコンテンツを欲することがある。
【０００６】
そのような場合には、もとのユーザは、帰宅後、該当するコンテンツをなんらかのメディアにダビングして郵送するなどの必要があり、かなり面倒である。
【０００７】
この発明は、以上のような問題点を解決しようとするものである。
【課題を解決するための手段】
【０００８】
この発明においては、
記録したコンテンツのそれだけで１つの意味を有する部分をシーンとして設定するとともに、上記シーンの分類名、キーワード、および名称を含む情報を記録する第１の記録再生装置が、ポータブルタイプの再生装置から広域ネットワークを通じて上記シーンの再生の要求を受けたとき、その要求を満たす上記シーンを示すデータを、上記広域ネットワークを通じて上記再生装置に送信し、
上記再生装置は、この送信されてきたデータから目的とする上記シーンの分類名と、上記分類名に対応する上記シーンのキーワードと、上記キーワードに対応する上記シーンの名称とを階層的に選択し、この選択した上記名称に対応するデータを上記広域ネットワークを通じて上記再生装置に送信するように、上記第１の記録再生装置に要求し、
この要求により目的とする上記シーンのデータが上記第１の記録再生装置から上記広域ネットワークを通じて上記再生装置に送信されてきたとき、上記再生装置は、その送信されてきた上記シーンをストリーミング再生し、
上記再生装置が、上記広域ネットワークを通じて上記第１の記録再生装置に、上記再生装置によりストリーミング再生した上記シーンを示すデータと、第２の記録再生装置のアドレスとを送信したとき、上記第１の記録再生装置は、上記アドレスにしたがって上記広域ネットワークを通じて上記第２の記録再生装置に、上記再生装置によりストリーミング再生した上記シーンのデータを送信する
ようにしたコンテンツの提供方法
が提供されるものである。
【発明の効果】
【０００９】
この発明によれば、レコーダに録画しておいたコンテンツをポータブルタイプのプレーヤから選択してストリーミング再生ができるので、目的とするコンテンツを任意の時刻に任意の場所で視聴することができる。
【００１０】
そして、レコーダはビデオサーバとしても機能し、ポータブルタイプのプレーヤでストリーミング再生したコンテンツを、他のユーザのレコーダにコピーして自由に観ることができ、あるいは他のユーザのディスプレイにストリーミング再生により表示することができる。
【００１１】
また、レコーダに録画されている複数のコンテンツの中から目的とするコンテンツを選択するだけでよいので、自宅で目的とするコンテンツを再生する場合と同様、操作がきわめて簡単である。
【発明を実施するための最良の形態】
【００１２】
以下においては、理解を容易にするため、この発明のアウトラインを、以下の(1)、(2)項に分けて説明する。すなわち、
(1) レコーダで録画したコンテンツを、ポータブルビデオプレーヤによりストリーミング再生をする場合（これは〔１〕において説明）
(2) そのコンテンツを別のユーザに提供する場合（これは〔２〕において説明）
に分けて説明する。
【００１３】
〔１〕  ストリーミング再生の場合のアウトライン
ここでは、ユーザＡが自宅で録画したテレビ番組を、ポータブルビデオプレーヤにより自宅外でストリーミング再生する場合について説明する。
【００１４】
〔１−１〕  システムの構成例
図１はシステムのアウトラインを説明するための図であり、この例においては、自宅にテレビ番組の録画再生装置としてハードディスクレコーダ１００が設置されているとともに、このハードディスクレコーダ１００にモニタ用としてディスプレイ２００が接続されている場合である。また、符号３００は、電話回線網やインターネットなどの広域ネットワーク、符号４００は、ポータブルタイプのビデオプレーヤ、この例においては、携帯電話機を示す。
【００１５】
そして、ハードディスクレコーダ１００の構成の詳細は後述するが、ハードディスクレコーダ１００は、地上デジタルテレビ放送やＢＳ放送あるいはＣＳ放送などを受信し、コンテンツ、すなわち、それらの番組を録画および再生する機能を有するとともに、録画中あるいは再生中の番組の信号をディスプレイ２００に出力できるようにされている。さらに、ハードディスクレコーダ１００は、広域ネットワーク３００に接続され、ハードディスクレコーダ１００の録画した番組の再生信号を、広域ネットワーク３００を通じて携帯電話機４００に供給し、その番組を携帯電話機４００によりストリーミング再生できるものである。
【００１６】
ただし、ハードディスクレコーダ１００は、この発明におけるストリーミング再生の場合には、番組の「シーン」を単位とするものである。ここで、「シーン」とは、１つの番組の全体、あるいは番組の特定のコーナーのように、それだけで１つの意味を有する部分（区間）を示すものとする。図６Ａは、１つのシーンが１つの料理番組の全体の場合であり、図６Ｂは、１つのシーンがワイドショーの中の料理のコーナーの場合である。
【００１７】
そして、ハードディスクレコーダ１００の録画したシーンを携帯電話機４００によりストリーミング再生をするため、ハードディスクレコーダ１００は、その内蔵ハードディスクドライブ（図示せず）の一部に、例えば図７に示すようなシーンテーブルSCNTが作成される。このシーンテーブルSCNTは、放送中の番組に関連する情報のリストであり、シーンごとに作成される。このシーンテーブルSCNTの詳細については後述するが、ＥＰＧ、ＥＣＧ、放送中の番組に付随して放送される関連データ、各種のデータサービスから提供されるデータなどから作成することができる。
【００１８】
なお、ＥＣＧは電子コンテンツ案内とも呼ばれ、任意の番組について、その番組のメタデータを所定の条件にしたがって関連付けしたものであり、そのメタデータとして、対応する番組の識別コード、名称（番組名）、放送日、放送開始時刻、放送時間（時間長）、ジャンル、出演者、その他の各種の関連情報、検索用のキーワードなどがある。
【００１９】
そして、シーンテーブルSCNTは、シーンの識別コード、シーンの分類名、番組名、サブタイトル、放送日時、放送時間、出演者、そのシーンの検索に有用な検索用のキーワード（例えば料理の場合であれば、材料）、シーンをハードディスクドライブに録画したときの録画位置（録画の開始アドレス）を示すリンクポインタなどを有する。なお、図６および図７においては、料理を作るシーンの場合である。
【００２０】
〔１−２−１〕  通常の録画
この録画は通常のビデオレコーダの場合と同じであり、ハードディスクレコーダ１００に対して、録画の操作をすると、あるいはあらかじめタイマやＥＰＧなどにより録画を予約してある場合に、その予約の時刻になると、ハードディスクレコーダ１００において、このとき選択されているチャンネルの番組（シーン）がハードディスクドライブに録画される。
【００２１】
なお、ハードディスクレコーダ１００およびディスプレイ２００に対して所定の操作を行うと、その録画中の番組がディスプレイ２００に表示される。また、この録画に伴ってシーンテーブルSCNTが作成される。
【００２２】
〔１−２−２〕  通常の再生
この再生も通常のビデオレコーダの場合と同じであり、ハードディスクレコーダ１００に対して、再生の操作をすると、ハードディスクレコーダ１００のハードディスクドライブに録画されている番組が選択されて再生され、その再生された番組がディスプレイ２００に表示される。
【００２３】
〔１−２−３〕  携帯電話機４００による番組の視聴（ストリーミング再生）
以下においては、図６Ａに示すシーン「なすと挽き肉のパスタ」を選択し、ストリーミング再生により携帯電話機４００で視聴する場合である。
【００２４】
すなわち、この場合には、携帯電話機４００から広域ネットワーク３００を通じてハードディスクレコーダ１００にアクセスし、携帯電話機４００の認証を行い、ハードディスクレコーダ１００により携帯電話機４００が認証されたら、携帯電話機４００からハードディスクレコーダ１００に、録画されている番組の再生であることを通知する。
【００２５】
すると、ハードディスクレコーダ１００に作成されているシーンテーブルSCNTの分類名を示すデータが、ハードディスクレコーダ１００から広域ネットワーク３００を通じて携帯電話機４００に送信され、携帯電話機４００のスクリーン４２Ｓには、例えば図５Ａに示すように、シーンテーブルSCNTにおける分類名が一覧表示されるとともに、その第１行目にカーソル４２Ｃが表示される。この場合、複数のシーンに同一の分類名があるときには、そのうちの１つが代表して表示される。例えば、「料理＞作る」のシーンが２つあっても、その一方の「料理＞作る」が選択されて表示される。
【００２６】
そこで、携帯電話機４００のカーソルキー（図示せず）を操作して例えば図５Ｂに示すように、カーソル４２Ｃを分類名「料理＞作る」に移動させて実行キー（図示せず）を操作する。すると、この分類名「料理＞作る」の選択されたことが、携帯電話機４００から広域ネットワーク３００を通じてハードディスクレコーダ１００に通知される。
【００２７】
すると、ハードディスクレコーダ１００においては、ハードディスクドライブに登録されているシーンテーブルSCNTのうち、その通知された分類名「料理＞作る」を含むシーンテーブルSCNT（図７）がすべて選択されるとともに、このシーンテーブルSCNTに登録されているキーワードが、ハードディスクレコーダ１００から広域ネットワーク３００を通じて携帯電話機４００に送信され、この結果、携帯電話機４００のスクリーン４２Ｓには、例えば図５Ｃに示すように、直前の操作により選択されたシーンテーブルSCNTから、そのシーンテーブルSCNTに登録されている材料が一覧表示されるとともに、その第１行目にカーソル４２Ｃが表示される。
【００２８】
そして、今の場合、茄子を使った料理が希望であるとともに、「なす」の行にカーソル４２Ｃが表示されているので、図５Ｃの状態で実行キーを操作する。すると、この「なす」の項目の選択されたことが、携帯電話機４００から広域ネットワーク３００を通じてハードディスクレコーダ１００に通知される。
【００２９】
すると、ハードディスクレコーダ１００においては、分類名「料理＞作る」のシーンテーブルSCNT（図７）のうち、キーワードに「なす」を含むシーンの番組名およびサブタイトルのデータが取り出され、このデータが、ハードディスクレコーダ１００から広域ネットワーク３００を通じて携帯電話機４００に送信される。したがって、携帯電話機４００のスクリーン４２Ｓには、例えば図５Ｄに示すように、シーンテーブルSCNTに登録されているシーンのうち、該当するシーンの番組名およびサブタイトルが一覧表示されるとともに、その第１番目の番組名および料理名にカーソル４２Ｃが表示される。
【００３０】
そして、今の場合、「なすと挽き肉のパスタ」が希望する料理であり、この表示位置にカーソル４２Ｃが表示されているので、図５Ｄの状態で実行キーを操作する。すると、この「なすと挽き肉のパスタ」の項目の選択されたことが、携帯電話機４００から広域ネットワーク３００を通じてハードディスクレコーダ１００に通知される。
【００３１】
この結果、ハードディスクレコーダ１００においては、「なすと挽き肉のパスタ」のシーンが選択され、そのシーンテーブルSCNTのリンクポインタの示すアドレスから、そのシーンが再生されていき、その再生信号が、ハードディスクレコーダ１００から広域ネットワーク３００を通じて携帯電話機４００に送信される。したがって、携帯電話機４００のスクリーン４２Ｓには、例えば図５Ｅに示すように、「なすと挽き肉のパスタ」の番組がストリーミング再生されて表示される。
【００３２】
こうして、上述のシステムによれば、ハードディスクレコーダ１００に録画しておいたシーン（番組全体あるいはその必要部分）を携帯電話機４００により階層式に選択していってストリーミング再生をすることができる。
【００３３】
〔１−３〕  ハードディスクレコーダ１００の構成例および動作
図３は、ハードディスクレコーダ１００の一例を示し、この例においては、地上デジタル放送、ＢＳ放送およびＣＳ放送を受信し、これを録画・再生できる場合である。すなわち、アンテナ１０１によりデジタル放送が受信され、その受信信号がデジタルチューナ１０２に供給されて目的とするチャンネルのデジタルデータが取り出され、このデジタルデータが切り換え回路１０３に供給される。
【００３４】
また、番組（シーン）の録画用として大容量の記録媒体、この例においては、ハードディスクドライブ１２１が設けられる。そして、このハードディスクドライブ１２１には、デジタルチューナ１０２の出力信号が記録用として供給され、ハードディスクドライブ１２１の出力信号（記録モニタ信号あるいは再生信号）が、切り換え回路１０３に供給されるとともに、分離回路１２２に供給されて番組に付随する各種のデジタルデータＤDが取り出され、このデジタルデータＤDが後述するマイクロコンピュータ１３０に供給される。なお、ハードディスクドライブ１２１はその動作がマイクロコンピュータ１３０により制御される。
【００３５】
そして、切り換え回路１０３がマイクロコンピュータ１３０により制御され、切り換え回路１０３からは、デジタルチューナ１０２あるいはハードディスクドライブ１２１の出力信号が選択的に取り出されて分離回路１０４に供給され、デジタルビデオ信号ＤVと、デジタルオーディオ信号ＤAと、デジタルデータＤDとが分離されて出力される。
【００３６】
そして、分離回路１０４から取り出されたデジタルビデオ信号ＤVが、デコーダ回路１１１に供給されて本来のサイズのデジタルビデオ信号にデータ伸長されるとともに、Ｄ／Ａ変換されてもとのアナログビデオ信号ＳVとされ、このアナログビデオ信号ＳVが映像処理回路１１２により各種の補正などが行われてから出力端子１１３に取り出される。この出力端子１１３に取り出されたアナログビデオ信号ＳVは、ディスプレイ２００に供給され、画像として表示される。
【００３７】
また、分離回路１０４から取り出されたデジタルオーディオ信号ＤAが、デコーダ回路１１４に供給されて本来のサイズのデジタルオーディオ信号にデータ伸長されるとともに、Ｄ／Ａ変換されてもとのアナログオーディオ信号ＳAとされ、このアナログオーディオ信号ＳAが音声処理回路１１５により各種の補正などが行われてから出力端子１１６に取り出される。この出力端子１１６に取り出されたアナログオーディオ信号ＳAは、ディスプレイ２００に内蔵されているスピーカ（図示せず）に供給され、音響として出力される。なお、分離回路１０４から取り出されたデジタルデータＤDは、マイクロコンピュータ１３０に供給される。
【００３８】
さらに、切り換え回路１０３の出力信号が、インターフェイス回路１２３に供給されて通信用あるいは配信用の信号フォーマットにフォーマット変換されて取り出され、この信号が出力端子１２４を通じて、さらに、上述のように広域ネットワーク３００を通じて携帯電話機４００に提供される。また、携帯電話機４００から広域ネットワーク３００を通じて送られてきたデータが、出力端子１２４を通じて、さらに、インターフェイス回路１２３を通じてマイクロコンピュータ１３０に取り込まれる。
【００３９】
さらに、システム制御回路として上記のマイクロコンピュータ１３０が設けられる。このマイクロコンピュータ１３０は、ＣＰＵ１３１と、ＲＯＭ１３２と、ＲＡＭ１３３と、不揮発性メモリ１３４とを有し、これらメモリ１３２〜１３４がシステムバス１３９を通じてＣＰＵ１３１に接続されている。この場合、ＣＰＵ１３１は各種のプログラムを実行するものであり、ＲＯＭ１３２には、ＣＰＵ１３１により実行されるプログラムや基本的なデータが書き込まれている。また、ＲＡＭ１３３は、ＣＰＵ１３１がプログラムを実行するときのワークエリアとなるものであり、不揮発性メモリ１３４は各種のデータを電源がオフの場合でも記憶しておくためのものである。
【００４０】
また、マイクロコンピュータ１３０は、時計回路１３５と、各種の操作キー１３６と、リモコン（遠隔操作）の受信回路１３７とを有し、これらもシステムバス１３９に接続されている。この場合、時計回路１３５は、現在の日時を計時するものであり、操作キー１３６は、このハードディスクレコーダ１００に対して基本的な操作を直接に行うためのものである。また、受信回路１３７は、リモコン送信機１４０と対となっているものであり、これらリモコン送信機１４０および受信回路１３７は、例えば赤外線によりリモコンを実現するものである。
【００４１】
さらに、マイクロコンピュータ１３０からデジタルチューナ１０２、ハードディスクドライブ１２１、切り換え回路１０３に対してそれらの制御信号が供給される。
【００４２】
このような構成によれば、操作キー１３６あるいはリモコン送信機１４０を操作することにより、マイクロコンピュータ１３０を通じてデジタルチューナ１０２、ハードディスクドライブ１２１、切り換え回路１０３がそれぞれ制御される。すなわち、デジタルチューナ１０２が制御されたときには受信チャンネルを切り換えられ、目的とするチャンネルが受信される。
【００４３】
また、ハードディスクドライブ１２１の録画・再生が制御されたときには、受信中の番組（シーン）の録画あるいは再生が実行されるとともに、切り換え回路１０３が切り換えられ、デジタルチューナ１０２の受信中の番組の信号あるいハードディスクドライブ１２１の録画・再生中の番組の信号が選択され、その選択された信号が分離回路１０４に供給される。
【００４４】
したがって、番組の受信、〔１−２−１〕の録画、および〔１−２−２〕の再生を行うことができる。なお、ストリーミング再生時の具体的な動作および方法については、後述する。
【００４５】
〔１−４〕  携帯電話機４００の構成例および動作
図４は、携帯電話機４００の一例を示し、この例においては、携帯電話機としての本来の機能を有するだけでなく、上述したようにポータブルビデオプレーヤとしての機能をも有し、広域ネットワーク３００を通じてハードディスクレコーダ１００の録画した番組をストリーミング再生できるようにした場合である。
【００４６】
すなわち、図４において、符号４１０は通話回路を示し、携帯電話機としての受話時には、広域ネットワーク３００からの電波が送受信アンテナ４１１により受信され、この受信信号が送受信回路４１２に供給されてベースバンドのデジタル信号が取り出され、このデジタル信号がベースバンド処理回路４１３に供給される。
【００４７】
そして、ベースバンド処理回路４１３において、これに供給されたデジタル信号に対して受話時のベースバンド処理が行われてデジタル音声信号が取り出され、この信号がコーデック回路４１４に供給されてもとのもとのアナログ音声信号にデコードされ、この音声信号が受話器４１５に供給される。
【００４８】
また、送話時には、送話器４１６からの音声信号がコーデック回路４１４に供給されてデジタル音声信号にエンコードされ、この信号がベースバンド処理回路４１３に供給され、送話時のベースバンド処理が行われてから送受信回路４１２に供給されて送信信号とされ、この信号が送受信アンテナ４１１を通じて広域ネットワーク３００へと送信される。したがって、通話回路４１０により相手との通話を行うことができる。
【００４９】
なお、発呼時には、操作キー４３５を操作すると、送受信回路４１２の送受信が許可されるとともに、操作キー４３５の操作に対応した電話番号のデータが、後述するマイクロコンピュータ４３０からベースバンド処理回路４１３を通じて送受信回路４１２に供給され、送受信アンテナ４１１から送信される。したがって、相手を呼び出すことができる。
【００５０】
また、着呼時には、ベースバンド処理回路４１３から着呼を示す信号が取り出され、この信号に基づいてマイクロコンピュータ４３０によりリンガ４３６が駆動され、着呼が告げられる。また、このとき、その着呼を与えた相手の電話番号などのデータが、表示制御回路４２１に供給されて表示信号とされ、この表示信号がディスプレイ、例えばＬＣＤ４２２に供給され、相手の電話番号などが表示される。
【００５１】
さらに、システム制御回路として上記のマイクロコンピュータ４３０が設けられる。このマイクロコンピュータ４３０は、ＣＰＵ４３１と、ＲＯＭ４３２と、ＲＡＭ４３３と、不揮発性メモリ４３４とを有し、これらメモリ４３２〜４３４がシステムバス４３９を通じてＣＰＵ４３１に接続されている。この場合、ＣＰＵ４３１は各種のプログラムを実行するものであり、ＲＯＭ４３２には、ＣＰＵ４３１により実行されるプログラムや基本的なデータが書き込まれている。また、ＲＡＭ４３３は、ＣＰＵ４３１がプログラムを実行するときのワークエリアとなるものであり、不揮発性メモリ４３４は各種のデータを電源がオフの場合でも記憶しておくためのものである。
【００５２】
また、マイクロコンピュータ４３０から送受信回路４１２、ベースバンド処理回路４１３に対してそれらの制御信号が供給されるとともに、これら回路から所定のデータがマイクロコンピュータ４３０に供給される。したがって、上記のように発呼、着呼、通話を行うことができる。なお、ストリーミング再生時の具体的な動作および方法については、後述する。
【００５３】
〔１−５〕  シーンテーブルSCNTの例
図７は、シーンテーブルSCNTの一例を示す。このシーンテーブルSCNTは、上述のようにハードディスクレコーダ１００の録画したシーンを携帯電話機４００によりストリーミング再生をするために、番組の録画に関連して形成されるものである。
【００５４】
そして、このシーンテーブルSCNTは、識別コード、シーンの分類名、番組名、サブタイトル、放送日時、放送時間（長さ）、出演者、検索用のキーワード、シーンをハードディスクドライブに録画したときの録画位置を示すポインタなどを有する。
【００５５】
ここで、識別コードは、シーンテーブルSCNTを識別するためのユニークなデータであり、分類名は、例えば図５Ａに示すように、目的とするシーンを選択するときの最上位の分類における項目名であり、図７のシーンテーブルSCNTは、シーンが料理を作る場合のものである。また、番組名は、その録画した番組の名称であり、サブタイトルは放送局側が付けた番組のテーマなどであり、図７のシーンテーブルSCNTでは、茄子と挽き肉をあしらったパスタ料理の場合である。
【００５６】
さらに、放送日時および放送時間（長さ）は、その番組の放送された時刻および時間長であり、出演者は、その番組のメインの出演者やゲストの出演者などである。また、キーワードは、該当するシーンの検索に有用な検索用のデータであり、例えば図７にも示すように料理の場合であれば、その料理に使用する材料のデータなどとされる。さらに、リンクポインタは、そのシーンテーブルSCNTが該当するシーンをハードディスクドライブ１２１に録画したときの録画位置（録画の開始アドレス）を示すポインタである。
【００５７】
〔１−６〕  携帯電話機４００による番組の視聴（ストリーミング再生）
以下においては、図６Ａに示すシーン「なすと挽き肉のパスタ」を選択し、ストリーミング再生により携帯電話機４００で視聴する場合である。
【００５８】
すなわち、ハードディスクレコーダ１００に録画したシーンを携帯電話機４００でストリーミング再生する場合には、〔１−４〕において説明したように、携帯電話機４００から発呼を行ってハードディスクレコーダ１００に接続し、その後、操作キー４３５を操作して携帯電話機４００の認証を行う。そして、ハードディスクレコーダ１００により携帯電話機４００が認証されたら、操作キー４３５を操作して携帯電話機４００からハードディスクレコーダ１００に、録画されている番組の再生であることを通知する。
【００５９】
すると、ハードディスクレコーダ１００においては、ハードディスクドライブ１２１に作成されているシーンテーブルSCNTの分類名を示すデータが、それぞれのシーンテーブルSCNTから収集され、このデータがハードディスクレコーダ１００から広域ネットワーク３００を通じて携帯電話機４００に送信される。なお、このとき、上述のように複数のシーンに同一の分類名があるときには、そのうちの１つが代表して選択され、同一の分類名のデータが重複して送信されることはない。
【００６０】
したがって、例えば図５Ａに示すように、携帯電話機４００のスクリーン４２Ｓには、分類名の一覧が表示されるとともに、その第１行目にカーソル４２Ｃが表示される。
【００６１】
そこで、携帯電話機４００の操作キー４３５のうちのカーソルキーを操作して例えば図５Ｂに示すように、カーソル４２Ｃを分類名「料理＞作る」に移動させて実行キーを操作する。すると、この分類名「料理＞作る」の選択されたことが、携帯電話機４００から広域ネットワーク３００を通じてハードディスクレコーダ１００に通知される。
【００６２】
すると、ハードディスクレコーダ１００においては、ハードディスクドライブに登録されているシーンテーブルSCNTのうち、その通知された分類名「料理＞作る」を含むシーンテーブルSCNTがすべて選択されるとともに、その分類名の識別コードが、同一の分類名であっても複数のシーンのすべてについて、例えばＲＡＭ１３３にいったん保存される。
【００６３】
さらに、ハードディスクレコーダ１００においては、通知された分類名「料理＞作る」を含むシーンテーブルSCNTに登録されているキーワード、今の場合、材料を示すデータが、ハードディスクレコーダ１００から広域ネットワーク３００を通じて携帯電話機４００に送信され、この結果、携帯電話機４００のスクリーン４２Ｓには、例えば図５Ｃに示すように、直前の操作により選択されたシーンテーブルSCNTから、そのシーンテーブルSCNTに登録されている材料およびその材料を使用した料理の件数が一覧表示されるとともに、その第１行目にカーソル４２Ｃが表示される。
【００６４】
そして、今の場合、茄子を使った料理が希望であるとともに、「なす」の行にカーソル４２Ｃが表示されているので、図５Ｃの状態で操作キー４３５のうちの実行キーを操作する。すると、この「なす」の項目の選択されたことが、携帯電話機４００から広域ネットワーク３００を通じてハードディスクレコーダ１００に通知される。
【００６５】
すると、ハードディスクレコーダ１００においては、ＲＡＭ１３３に識別コードが保存されたシーンのシーンテーブルSCNTであって、かつ、材料に「なす」を含むシーンの番組名およびサブタイトルのデータが取り出され、このデータが、ハードディスクレコーダ１００から広域ネットワーク３００を通じて携帯電話機４００に送信される。したがって、携帯電話機４００のスクリーン４２Ｓには、例えば図５Ｄに示すように、シーンテーブルSCNTに登録されているシーンのうち、該当するシーンの番組名およびサブタイトルが一覧表示されるとともに、その第１番目の番組名および料理名にカーソル４２Ｃが表示される。
【００６６】
そして、今の場合、「なすと挽き肉のパスタ」が希望する料理であり、この表示位置にカーソル４２Ｃが表示されているので、図５Ｄの状態で操作キー４３５のうちの実行キーを操作する。すると、この「なすと挽き肉のパスタ」の項目の選択されたことが、携帯電話機４００から広域ネットワーク３００を通じてハードディスクレコーダ１００に通知される。
【００６７】
この結果、ハードディスクレコーダ１００においては、図７に示す「なすと挽き肉のパスタ」のシーンテーブルSCNTが選択され、ハードディスクドライブ１２１のうち、そのシーンテーブルSCNTのリンクポインタの示すアドレスから、そのシーンが再生されていき、その再生信号が、インターフェイス回路１２３から広域ネットワーク３００を通じて携帯電話機４００に送信される。したがって、携帯電話機４００のスクリーン４２Ｓには、例えば図５Ｅに示すように、「なすと挽き肉のパスタ」の番組がストリーミング再生されて表示される。
【００６８】
こうして、上述のシステムによれば、ハードディスクレコーダ１００に録画しておいたシーン（番組全体あるいはその必要部分）を携帯電話機４００により階層式に選択していってストリーミング再生をすることができる。
【００６９】
〔２〕  コンテンツを別のユーザに提供する場合
ここでは、ユーザＡがハードディスクレコーダ１００に録画した番組（シーン）を、別のユーザＢのＡＶ機器にコピーあるいは視聴できるようにする場合について説明する。
【００７０】
〔２−１〕  システムの構成例
この場合には、例えば図２に示すように、広域ネットワーク３００にはユーザＡのハードディスクレコーダ１００に加えてユーザＢのハードディスクレコーダ１００Ｂも接続される。ここでは、ハードディスクレコーダ１００Ｂはハードディスクレコーダ１００と同一に構成され、このハードディスクレコーダ１００Ｂにはディスプレイ２００Ｂが接続されているものとする。
【００７１】
〔２−２〕  処理の例
〔１〕において説明したように、ハードディスクレコーダ１００で録画した番組を携帯電話機４００でストリーミング再生した結果、その番組をユーザＢが欲したときには、すなわち、ハードディスクレコーダ１００Ｂにコピーしたいとき、あるいはディスプレイ２００Ｂで視聴したいときには、携帯電話機４００に対して、ユーザＢのハードディスクレコーダ１００Ｂのアドレスを入力するとともに、コピーあるいは視聴を指定する。
【００７２】
すると、携帯電話機４００のスクリーン４２Ｓには、例えば図５Ｆに示すように、その番組の番組名と、転送先の入力欄４２Ａと、転送方法の選択リスト４２Ｌとが表示される。この場合、転送先の入力欄４２Ａは、ユーザＢのハードディスクレコーダ１００Ｂのアドレスを入力するためのものである。また、転送方法の選択リスト４２Ｌは、番組のデータをコピーする（コピーを許可する）のか、その番組を視聴する（視聴のみを許可する）のかを選択するためのものであり、「コピー」、「視聴」の文字が表示されるとともに、その一方にカーソル４２Ｃが表示される。
【００７３】
そこで、転送先の入力欄４２Ａに、ユーザＢのハードディスクレコーダ１００Ｂのアドレスを入力し、携帯電話機４００のカーソルキーを操作してカーソル４２Ｃを「コピー」あるいは「視聴」に移動させて実行キーを操作する。すると、携帯電話機４００において、例えば図８に示すような転送要求リストFRLTが作成され、この転送要求リストFRLTが広域ネットワーク３００を通じてハードディスクレコーダ１００に送信される。
【００７４】
この場合、転送要求リストFRLTにおいて、識別コードは、このときの番組を識別するための情報であり、図７における識別コードに等しい。また、転送先アドレスは、図５Ｆのスクリーン４２Ｓにおいて入力欄４２Ａに入力した転送先のアドレス、すなわち、今の場合、ハードディスクレコーダ１００Ｂのアドレスである。さらに、コピーフラグは、図５Ｆのスクリーン４２Ｓにおいてコピーあるいは視聴を選択した結果を示すフラグであり、
コピーを選択（コピーを許可）したとき、コピーフラグ＝“１”
視聴を選択（視聴のみを許可）したとき、コピーフラグ＝“０”
とされる。そして、このコピーフラグの値にしたがって、ハードディスクレコーダ１００とハードディスクレコーダ１００Ｂとの間で以下のような処理が実行される。
【００７５】
〔２−２−１〕  コピーを選択したとき
この場合には、ハードディスクレコーダ１００において、携帯電話機４００から送信されてきた転送要求リストFRLTの転送先アドレスにしたがって、ハードディスクレコーダ１００が広域ネットワーク３００を通じてハードディスクレコーダ１００Ｂに接続される。さらに、ハードディスクレコーダ１００においては、携帯電話機４００から送信されてきた転送要求リストFRLTの識別コードにしたがって、携帯電話機４００でストリーミング再生した番組のデータと、対応するシーンテーブルSCNTのデータとがハードディスクドライブ１２１から選択されて取り出され、広域ネットワーク３００を通じてハードディスクレコーダ１００Ｂに送信される。
【００７６】
そして、ハードディスクレコーダ１００Ｂにおいては、送信されてきたデータがいったんハードディスクドライブ１２１に保存される。したがって、ユーザＢは、携帯電話機４００によりストリーミング再生した番組を、自宅のハードディスクレコーダ１００Ｂおよびディスプレイ２００Ｂにより、任意の時間に何回でも自由に観ることができる。
【００７７】
このとき、ユーザＡが、ハードディスクレコーダ１００においてシーンテーブルSCNTを利用して対応する番組を自由に選択して再生できるように、ユーザＢは、ハードディスクレコーダ１００Ｂにおいて送信されてきたシーンテーブルSCNTを利用して送信されてきた番組を自由に選択して再生することができる。
【００７８】
〔２−２−２〕  視聴を選択したとき
この場合には、ハードディスクレコーダ１００において、携帯電話機４００から送信されてきた転送要求リストFRLTの転送先アドレスにしたがって、ハードディスクレコーダ１００が広域ネットワーク３００を通じてハードディスクレコーダ１００Ｂに接続される。さらに、ハードディスクレコーダ１００においては、携帯電話機４００から送信されてきた転送要求リストFRLTの識別コードを有するシーンテーブルSCNTがハードディスクドライブ１２１から取り出され、この取り出されたシーンテーブルSCNTに、転送元であるハードディスクレコーダ１００のアドレスが追加されてから広域ネットワーク３００を通じてハードディスクレコーダ１００Ｂに送信される。
【００７９】
なお、この場合、ハードディスクレコーダ１００のハードディスクドライブ１２１においては、携帯電話機４００によりストリーミング再生した番組のデータ（送信したシーンテーブルSCNTに対応する番組のデータ）に、消去の許可が設定されているときには、その消去の許可は禁止に変更される。
【００８０】
そして、ハードディスクレコーダ１００Ｂにおいては、送信されてきたシーンテーブルSCNT（これは、ハードディスクレコーダ１００のアドレスを有する）がハードディスクドライブ１２１に保存される。したがって、ユーザＢは、任意の時間に、ハードディスクレコーダ１００から送信されてきたハードディスクレコーダ１００のアドレスにしたがってハードディスクレコーダ１００Ｂを広域ネットワーク３００を通じてハードディスクレコーダ１００に接続することができる。
【００８１】
そして、この接続後、送信されてきたシーンテーブルSCNTにしたがって、携帯電話機４００によりストリーミング再生した番組を、自宅のハードディスクレコーダ１００Ｂおよびディスプレイ２００Ｂにより、任意の時間にストリーミング再生することができる。
【００８２】
なお、この場合、ハードディスクレコーダ１００においては、ハードディスクレコーダ１００Ｂが、携帯電話機４００によりストリーミング再生した番組のストリーミング再生を終了したとき、ハードディスクレコーダ１００からハードディスクレコーダ１００ＢにシーンテーブルSCNTを送信した後に設定した消去の禁止が、シーンテーブルSCNTの送信前の状態に復帰される。したがって、ハードディスクレコーダ１００Ｂが、携帯電話機４００によりストリーミング再生した番組のストリーミング再生を終了した後は、その番組が不要なら消去することができる。
【００８３】
また、ハードディスクレコーダ１００Ｂにおいては、そのストリーミング再生を終了したら、送信されてきているシーンテーブルSCNTが消去され、何度もストリーミング再生をすることが防止される。
【００８４】
こうして、ハードディスクレコーダ１００はビデオサーバとしても機能し、携帯電話機４００でストリーミング再生した番組を、ハードディスクレコーダ１００Ｂにコピーしてディスプレイ２００Ｂで自由に観ることができ、あるいはディスプレイ２００Ｂにストリーミング再生により表示して観ることができる。
【００８５】
〔３〕  まとめ
上述のシステムによれば、ハードディスクレコーダ１００に録画しておいたシーンを携帯電話機４００から選択してストリーミング再生ができるので、目的とする番組をハードディスクレコーダ１００により録画しておき、これを任意の時刻に任意の場所で、携帯電話機４００を使って視聴することができる。
【００８６】
そして、携帯電話機４００により視聴した番組を他のユーザＢが欲した場合には、携帯電話機４００に対して簡単な操作をするだけで、その番組をユーザＢのハードディスクレコーダ１００Ｂにコピーさせたり、ストリーミング再生させたりすることができる。すなわち、ユーザＡは、該当する番組をなんらかのメディアにダビングしてユーザＢに郵送するなどの手間が不要であり、簡単である。
【００８７】
また、ユーザＡはハードディスクレコーダ１００の録画したシーンを携帯電話機４００にコピーする必要がなく、ハードディスクレコーダ１００に録画されている複数のシーンの中から目的とするシーンを選択するだけでよいので、自宅でディスプレイ２００により目的とするシーンを再生する場合とほとんど同じ操作となり、操作がきわめて簡単である。
【００８８】
さらに、目的とシーンを階層式に選択していくので、選択が容易である。さらに、携帯電話機４００に使用されるＣＰＵ４３１は、一般にハードディスクレコーダ１００に使用されるＣＰＵ１３１よりも能力が低いが、それぞれの階層におけるデータは、ハードディスクレコーダ１００において管理ないし処理されるので、ＣＰＵ４３１の負荷を軽くすることができる。
【００８９】
〔４〕  その他
シーンテーブルSCNTは、図７に示すようなテーブル形式とする代わりに、ＸＭＬ形式とし、各項目をタグにより示すこともできる。また、シーンテーブルSCNTにおけるキーワードは、例えば、ハードディスクレコーダ１００において、番組名やサブタイトルなどを分析してから作成あるいは追加することもできる。
【００９０】
さらに、１つの番組の全体を録画し、その後、視聴者が設定しておいた条件にしたがって、例えば図６Ｂに示すように、その番組のうちの１部を残してシーンとすることもできる。また、ハードディスクレコーダ１００における番組の録画の予約を携帯電話機４００から設定するようにしてもよい。さらに、上述においては、テレビ局が番組を放送する場合であるが、プロバイダなどが所定の時刻にコンテンツを配信するような場合にも、この発明を適用できる。
【００９１】
また、シーンテーブルSCNTにコピーカウンタを用意し、このコピーカウンタにコピー許可回数をあらかじめ設定しておくとともに、１回コピーするごとにコピーカウンタの値を「１」ずつディクリメントし、コピーカウンタの値「０」になったとき、コピーフラグ＝“０”のときのように、番組の視聴だけを許可することもできる。
【００９２】
さらに、上述においては、テレビ番組をハードディスクレコーダ１００に録画・再生する場合であるが、外部の企業などから提供されるコンテンツをハードディスクレコーダ１００に録画・再生する場合であってもよく、その場合には、課金システムを組み合わせることができる。
【００９３】
〔略語の一覧〕
ＢＳ    ：Broadcasting Satellite
ＣＰＵ  ：Central Processing Unit
ＣＳ    ：Communication Satellite
Ｄ／Ａ  ：Digital to Analog
ＥＣＧ  ：Electronic Content Guide
ＥＰＧ  ：Electronic Program Guide
ＲＡＭ  ：Random Access Memory
ＲＯＭ  ：Read Only Memory
ＸＭＬ  ：eXtensible Markup Language
コーデック：COder-DECoder
リモコン：Remote Control
【図面の簡単な説明】
【００９４】
【図１】この発明を説明するための系統図である。
【図２】この発明の全体の一形態を示す系統図である。
【図３】この発明による録画系の一形態を示す系統図である。
【図４】この発明による再生系の一形態を示す系統図である。
【図５】この発明における表示例を示す図である。
【図６】この発明を説明するための図である。
【図７】この発明を説明するための図である。
【図８】この発明を説明するための図である。
【符号の説明】
【００９５】
１００、１００Ｂ…ハードディスクレコーダ、１２１…ハードディスクドライブ、１３０…マイクロコンピュータ、２００、２００Ｂ…ディスプレイ、３００…広域ネットワーク、４００…携帯電話機、４３０…マイクロコンピュータ
【図１】
0004618301.tif 000002
【図２】
0004618301.tif 000003
【図３】
0004618301.tif 000004
【図４】
0004618301.tif 000005
【図５】
0004618301.tif 000006
【図６】
0004618301.tif 000007
【図７】
0004618301.tif 000008
【図８】
0004618301.tif 000009